(57)【要約】【課題】  出力ケーブルの引出方向を仕様に応じて簡単に変えることができる面上収音式マイクロホンを提供する。【解決手段】  マイクロホンカプセルで収音された音声信号を所定の外部機器に送り出すための出力ケーブル３の一端側を接続する接続部２を有し、接続部２を設置面と平行な水平回転軸を中心にマイクロホンケース１１内に回転可能に設ける。【選択図】  図８
2005167480.tif 000002
【特許請求の範囲】
【請求項１】
内部にマイクロホンカプセルが収納される扁平なマイクロホンケースを有し、テーブルなどの平坦な設置面上に設置される面上収音式マイクロホンにおいて、
上記マイクロホンカプセルで収音された音声信号を所定の外部機器に送り出すための出力ケーブルの一端側が接続される接続部を有し、上記接続部は、上記設置面と平行な水平回転軸を有し、上記水平回転軸を中心に上記マイクロホンケース内に回転可能に設けられていることを特徴とする面上収音式マイクロホン。
【請求項２】
上記接続部は、上記出力ケーブルを上記設置面に対して水平に引き出す水平引出位置と、上記出力ケーブルを上記設置面に対して垂直に引き出す垂直引出位置とを往復的に移動可能に設けられている請求項１に記載の面上収音式マイクロホン。
【請求項３】
上記接続部は、両端に上記水平回転軸を有する回転ケースを備え、上記回転ケースの各水平回転軸の外周には、環状の軸受スペーサが挿通されており、上記回転ケースは、上記軸受スペーサを介して上記マイクロホンケース内に回転可能に収納されている請求項１または２に記載の面上収音式マイクロホン。
【請求項４】
上記水平回転軸の外周面には、上記回転ケースを上記各引出位置に位置決めするための位置決め面が設けられており、上記マイクロホンケース内には、上記位置決め面を押圧する押圧手段が設けられている請求項１，２または３に記載の面上収音式マイクロホン。
【請求項５】
上記押圧手段は、金属製の板バネからなり、上記板バネは、上記回転ケースと上記マイクロホンケースとの電気的導通を得る役割も兼ねている請求項１〜４のいずれか１項に記載の面上収音式マイクロホン。
【発明の詳細な説明】
【技術分野】
【０００１】
本発明は、テーブルなどの水平面に沿って設置される扁平なマイクロホンケースを備えた面上収音式マイクロホンに関し、さらに詳しくいえば、マイクロホンに接続される出力ケーブルの引出方向を可変にできる面上収音式マイクロホンに関する。
【背景技術】
【０００２】
会議やテレビ番組などの卓上で使用される卓上型マイクロホンの１つとして、面上収音式マイクロホンがある。例えば特許文献１に示すように、面上収音式マイクロホンは、バウンダリーマイクロホンやサーフエイスマウントマイクロホンとも呼ばれ、扁平なマイクロホンケースをテーブルなどの平坦な設置面に設置される。
【０００３】
このような面上収音式マイクロホンは、マイクロホンケース自体が薄いため、他の卓上型マイクロホンに比べてテーブルの上に置いても目立たなく、そのため、テレビ写りもよい。
【０００４】
しかしながら、この種の面上収音式マイクロホンには、設置に関して次のような課題が残されていた。すなわち、通常、この種の面上収音式マイクロホンは、その出力用ケーブルの引出位置がマイクロホンケースの背面側に設けられており、その引出方向は設置面に沿って平行な一方向のみであった。
【０００５】
したがって、出力用ケーブルの一部が必ずテーブル上に露出するため、ケーブルの引出部分が美観を損ねていた。特に、テレビ番組などの場合は、１つのテーブルに多数のマイクロホンが設置される場合が多いため、より美観を損ねやすい。
【０００６】
他方において、出力ケーブルを目立たなくするため、この面上収音式マイクロホンを一旦分解して、ケース本体の底部に引出孔を設けて、そこから引出ケーブルを直に引き出す簡易的な改造を加える方法も用いられてきたが、この方法だと、加工用の工具を使用するため、工作に時間や熟練を要する必要があり、また故障などの原因となりうる。
【０００７】
【特許文献１】実用新案登録第２５１５８１２号公報
【発明の開示】
【発明が解決しようとする課題】
【０００８】
そこで、本発明は、上述した課題を解決するためになされたものであって、その目的は、出力ケーブルの引出方向を仕様に応じて簡単に変えることができる面上収音式マイクロホンを提供することにある。
【課題を解決するための手段】
【０００９】
上述した目的を達成するため、本発明は以下に示すいくつかの特徴を備えている。まず、請求項１においては、内部にマイクロホンカプセルが収納される扁平なマイクロホンケースを有し、テーブルなどの平坦な設置面上に設置される面上収音式マイクロホンにおいて、上記マイクロホンカプセルで収音された音声信号を所定の外部機器に送り出すための出力ケーブルの一端側が接続される接続部を有し、上記接続部は、上記設置面と平行な水平回転軸を有し、上記水平回転軸を中心に上記マイクロホンケース内に回転可能に設けられていることを特徴としている。
【００１０】
請求項２においては、上記接続部は、上記出力ケーブルを上記設置面に対して水平に引き出す水平引出位置と、上記出力ケーブルを上記設置面に対して垂直に引き出す垂直引出位置とを往復的に移動可能に設けられていることを特徴としている。
【００１１】
請求項３においては、上記接続部は、両端に上記水平回転軸を有する回転ケースを備え、上記回転ケースの各水平回転軸の外周には、環状の軸受スペーサが挿通されており、上記回転ケースは、上記軸受スペーサを介して上記マイクロホンケース内に回転可能に収納されていることを特徴としている。
【００１２】
請求項４においては、上記水平回転軸の外周面には、上記回転ケースを上記各引出位置に位置決めするための位置決め面が設けられており、上記マイクロホンケース内には、上記位置決め面を押圧する押圧手段が設けられていることを特徴としている。
【００１３】
請求項５においては、上記押圧手段は、金属製の板バネからなり、上記板バネは、上記回転ケースと上記マイクロホンケースとの電気的導通を得る役割も兼ねていることを特徴としている。
【発明の効果】
【００１４】
請求項１に記載の発明によれば、出力ケーブルの引出方向を使用する形態に応じて簡単に変えることができる。
【００１５】
請求項２に記載の発明によれば、会議などの通常使用の場合は水平位置にした状態で出力ケーブルを引き出すことができ、テレビなどのケーブルの引出方向に気を遣う場合には、垂直引出位置にすることで、出力ケーブルをテーブルの下に向けて直接引き出すことができる。
【００１６】
請求項３に記載の発明によれば、軸受スペーサを介して回転ケースが回転することにより、回転ケース内に引き出されるケーブルが捩れたりすることがなく、断線など故障の原因となる動きを抑えることができる。
【００１７】
請求項４に記載の発明によれば、簡単な方法で回転ケースの位置を位置決めすることができる。
【００１８】
請求項５に記載の発明によれば、回転ケースとマイクロホンケースとが板バネを介して導通が得られていることで、外部からの電磁波などによるノイズの影響を抑えることができる、すなわちシールド性を向上させることができる。
【発明を実施するための最良の形態】
【００１９】
次に、本発明の実施形態について図面を参照しながら説明する。図１および図２は、本発明の一実施形態に係る面上収音式マイクロホンの平面図および底面図であり、図３は、面上収音式マイクロホンの底面パネルを取り外した状態の背面図である。
【００２０】
この面上収音式マイクロホン１は、テーブルなどの水平な設置面に沿って平行に設置される扁平なマイクロホンケース１１を備え、内部に例えばコンデンサマイクロホンなどのマイクロホンカプセルが設置されている。マイクロホンケース１１の上面側（図１では紙面手前側）には、マイクロホンカプセルに連通する連通孔を多数有するカバー１２が設けられている。
【００２１】
マイクロホンケース１１の底面側には、設置面に設置する際に収音式マイクロホン１の滑り止めと、振動吸収を目的とした脚部１３が設けられている。この実施形態において、脚部１３は、発泡樹脂などのクッション体からなり、その表面（被設置面）には、ゴムなどによって滑り止め加工が施されている。
【００２２】
マイクロホンケース１１の底面側には、後述する接続部２をマイクロホンケース１１内に押さえておくための底面パネル１４が設けられている。この実施形態において、底面パネル１４は、マイクロホンケース１１にネジ止めされている。なお、ネジ孔（図示しない）は、底面パネル１４に設けられた脚部１３によって隠されている。
【００２３】
本発明において、マイクロホンケース１１の形状および材質は特に限定されないが、外来電磁波など影響を受けないようにシールド性を高める観点から、金属製であることが好ましい。
【００２４】
マイクロホンケース１１の背部側（図３では左端部側）には、面上収音式マイクロホン１で収集された音声信号を図示しない外部機器（例えば、ミキサーなど）へと送り出すための出力ケーブル３の一端に接続されたコネクタＣ１が接続される接続部２が設けられている。
【００２５】
図３に示すように、接続部２は、両端に設置面に沿って水平な水平回転軸４１，４１を有する回転ケース４と、水平回転軸４１，４１の外周に沿って挿通される軸受スペーサ５，５とを備えており、それらがマイクロホンケース１１の収納凹部１５内に収納されている。
【００２６】
図４（ａ）〜（ｃ）および図５を参照して、回転ケース４は、２つの回転ケースメンバー４Ａ，４Ｂを組み合わせたものからなり、この実施形態において、各回転ケースメンバー４Ａ，４Ｂはそれぞれ合成樹脂の成型品からなる。
【００２７】
この実施形態において、回転ケース４および軸受スペーサ５はともに合成樹脂製であるが、シールド性を考慮して金属製が好ましい。また、合成樹脂の成型品であっても、例えばスパッタなどを利用して表面に金属膜を形成して導通を得るようにしてもよい。
【００２８】
一方の回転ケースメンバー４Ａ（以下、第１回転ケースメンバーとする）は、他方の回転ケースメンバー４Ｂ（以下、第２回転ケースメンバーとする）との合致する側の面が開放された中空な箱体からなり、軸方向の両端（図４（ａ）では左右方向）には、水平回転軸４１，４１が一体に突設されている。
【００２９】
図４（ｃ）に示すように、第１回転ケースメンバー４Ａの底部（図４（ｃ）では右側面）には、差込孔４２が設けられている。差込孔４２は、出力ケーブル３のコネクタＣ１の受け手となるコネクタ端子Ｃ２を取り付けるための取付孔であり、この差込孔４２にコネクタ端子Ｃ２が一体的に保持される。
【００３０】
この実施形態において、コネクタＣ１，Ｃ２は、雌雄嵌合式のＸＬＲＭタイプのミニコネクタが使用されている。
【００３１】
図５に示すように、第１回転ケースメンバー４Ａの両側壁４０，４０には、開放端側から中央にかけてＵ字状の切欠部４３が設けられている。この切欠部４３を通って図示しないマイクロホンカプセルに接続された配線の一端が回転ケース４内に引き込まれた後、コネクタＣ２に接続される。
【００３２】
第１回転ケースメンバー４Ａの開放端の周縁部には、第２回転ケースメンバー４Ｂと正しい位置で合致するように位置決めするための位置決め溝４４が形成されている。位置決め溝４４は、第１回転ケースメンバー４Ａの外周よりも一段低く形成されており、そこに第２回転ケースメンバー４Ｂの位置決め凸部４５が噛み合うことにより、各回転ケースメンバー４Ａ、４Ｂ同士を位置決めする。
【００３３】
第２回転ケースメンバー４Ｂは、第１ケースメンバー４Ａの開放面に沿って噛み合わせられる蓋体であり、その外周面は円弧状に形成されている。なお、マイクロホンケース１１の収納凹部１５の一部も第２ケースメンバー４Ｂの外周面に合致するような円弧面が設けられている。
【００３４】
第２回転ケースメンバー４Ｂの側部には、第１回転ケースメンバー４Ａの切欠部４３に沿って差し込まれる係止凸部４６，４６が形成されている。係止凸部４６，４６は、切欠部４３，４３に差し込み可能な板体からなり、係止凸部４６，４６は、その先端が切欠部４３，４３の一部に配線の引き込み孔を形成するため、切欠部４３，４３よりも短く形成されている。
【００３５】
次に、水平回転軸４１，４１について説明する。なお、各水平回転軸４１，４１は、ともに同形状であり、それらが回転ケース４を挟んで左右対称に取り付けられているため、一方についてのみ他方についての説明は省略する。
【００３６】
図４（ａ）および図５に示すように、水平回転軸４１は、回転ケース４の両側壁４０，４０から所定長さで突設されており、中心が切欠部４３によって切り欠かれた円筒状に形成されている。水平回転軸４１の外周部には、後述する軸受スペーサ５が挿通される軸部４７と、回転ケース４の差込孔４２を所定の回転位置に位置決めする位置決め手段としての位置決め部４８とが設けられている。
【００３７】
軸部４７は、回転ケース４の側面から所定高さ突設され、外周が円筒状に形成されている。この軸部４７の外周面に沿って後述する軸受スペーサ５が回転可能に挿通される。
【００３８】
位置決め部４８は、軸部４７の内接円に沿って形成されている。位置決め部４８には、回転ケース４２の差込孔４２から引き出される出力ケーブル３を設置面に沿って平行に引き出した状態に位置決めする水平面４８ａと、出力ケーブル３を設置面に対して垂直な方向に引き出した状態に位置決めする垂直面４８ｂとが設けられている。
【００３９】
この実施形態において、水平面４８ａ、４８ｂは、互いに対向して２箇所設けられているが、これは、回転ケース４をマイクロホンケース１１に対して上下反対向きに設置しても使用できるよう、いわゆるシンメトリー構造を採用しているためであり、少なくとも一方の面のみが形成されていればよい。
【００４０】
水平面４８ａと垂直面４８ｂとは、ほぼ９０°の公差角で配置されている。なお、この実施形態において、位置決め部４８は、水平面４８ａと垂直面４８ｂの２つの面を有する断面四角形状に形成されているが、より細かな角度を調整する必要とする場合には、位置決め部４８の断面形状を６角形状や８角形状などの多角形状にすることで回転の刻み幅を小さくすることができる。
【００４１】
マイクロホンケース１１内には、位置決め部４８と協働して回転ケース４を所定位置に位置決めし、かつ、固定する、他方の位置決め手段としての板バネ６が設けられている。図６（ａ）〜（ｃ）に示すように、板バネ６は、一端がマイクロホンケース１１に設けられたバネ取付部１６の天端に一体的にネジ止めされた金属板からなり、他端側は自由端とされている。
【００４２】
板バネ６は、回転ケース４の位置決め部４８の各面４８ａ、４８ｂのいずれか一方に沿って平行に接触した状態で取り付けられている。これによれば、図６（ａ）に示すように、取付孔４２が水平状態の時、回転ケース４は、板バネ６が位置決め部４８の水平面４８ａに沿って当接しているため、万が一、回転ケース４が回転しようとしても、そのバネ圧によって回転を抑えることができる。
【００４３】
回転ケース４を垂直方向に変えるにあたっては、まず、図６（ｂ）に示すように、回転ケース４を回転させていくと、位置決め部４８は、板バネ６の押圧力に抗して回転し、このとき、板バネ６は下側に押し下げられる。さらに回転させてゆくと、図６（ｃ）に示すように、位置決め部４８の垂直面４８ｂに板バネ６が当接することで回転ケース４が垂直な状態で保持される。
【００４４】
板バネ６は、位置決め手段としての機能の他に、回転ケース４とマイクロホンケース１１との電気的導通を得るための機能も兼ねている。すなわち、回転ケース４とマイクロホンケース１１との電気的導通を得ることにより、マイクロホン１自体のシールド性を向上することができる。
【００４５】
次に、図７および図８（ａ）、（ｂ）を参照して、各水平回転軸４１に取り付けられる軸受スペーサ５について説明する。なお、図７では作図の問題上、水平回転軸４１は、単なる円筒形状として描画されている。軸受スペーサ５は、中央には水平回転軸４１に挿通される挿通孔５１を有する円盤体からなる。
【００４６】
軸受スペーサ５の一方の側面には、軸受スペーサ５の自転を防止するための係止部５２、５３が形成されている。一方の係止部５２は、軸受スペーサ５の側面よりも軸方向に一段高く形成された段差面からなり、この段差面５２がマイクロホンケース１１側に設けられた軸受リブ１７の係止面１８に沿って係止されることにより、軸受スペーサ５の動きが拘束される。
【００４７】
他方の係止部５３は、挿通孔５１を挟んで対向配置された第２の段差面からなり、この段差面５３は、マイクロホンケース１１の底面に装着される底面パネル１４の一部に形成された係止リブ１４１（図８（ａ）参照）の天端に接触する。
【００４８】
これによれば、図８（ａ）および（ｂ）に示すように、回転ケース４は、軸受スペーサ５を介してマイクロホンケース１１の収納凹部１５内に回転可能に固定される。したがって、回転ケース４を回転しても、マイクロホンケース１１と直接接触する箇所がないため、耐久性および信頼性が向上する。また、軸受スペーサ５を介して回転ケース４がマイクロホンケース１１内に確実に収納される。
【００４９】
次に、この面上収音式マイクロホン１の使用手順の一例について図８（ａ）および（ｂ）を参照しながら説明する。まず、図８（ａ）に示すような水平面に対して出力ケーブル３を水平に引き出して設置する（水平引出位置）には、回転ケース４のコネクタＣ２を水平にした状態のままで設置すればよい。
【００５０】
出力ケーブル３を設置面から目立たないように垂直に引き出して設置する（垂直引出位置）には、回転ケース４を手などでコネクタＣ２が下向く位置まで回転させるだけで簡単にコネクタＣ２の差し込み位置を変えることができる。なお、この場合は、出力ケーブル３を真下に引き出すため、設置面に引出孔や凹みを設ける必要がある。
【００５１】
上述した実施形態において、出力ケーブル３はコネクタＣ１，Ｃ２を介してマイクロホンケース１１に接続されているが、これ以外に回転ケース４の取付孔４２にコードブッシュなどを取り付け、出力ケーブル３を直接マイクロホンケース１１内に引き込む用にしてもよく、本発明の回転機構を採用していれば、その他各種変形例も本発明の技術的範囲に含まれる。
【図面の簡単な説明】
【００５２】
【図１】本発明の一実施形態に係る面上収音式マイクロホンの平面図。
【図２】上記実施形態の面上収音式マイクロホンの底面図。
【図３】上記実施形態の面上収音式マイクロホンの底面パネルを取り外した状態を示す背面図。
【図４】上記実施形態の回転ケースの平面図、正面図およびＡ−Ａ線断面図。
【図５】上記実施形態の回転ケースを分解した状態を示す分解側面図。
【図６】回転ケースと位置決め手段との相対関係を説明する説明図。
【図７】軸受スペーサの形状および取付形態を説明するための説明図。
【図８】上記実施形態の面上収音式マイクロホンの回転ケースを水平位置および垂直位置に回転した状態を示す断面図。
【符号の説明】
【００５３】
１  面上収音式マイクロホン
１１  マイクロホンケース
２  接続部
３  出力ケーブル
４  回転ケース
４１，４１  水平回転軸
５  軸受スペーサ
６  板バネ
【図１】
2005167480.tif 000003
【図２】
2005167480.tif 000004
【図３】
2005167480.tif 000005
【図４】
2005167480.tif 000006
【図５】
2005167480.tif 000007
【図６】
2005167480.tif 000008
【図７】
2005167480.tif 000009
【図８】
2005167480.tif 000010